(57)【要約】【課題】運動時の乳房の揺れを抑制しつつ着用感も良好なスポーツ用衣類を提供する。【解決手段】本発明のスポーツ用衣類１００は、左右の乳房を含む胸部を覆う前面部１と、前面部１と両脇部及び両肩部で繋がっている背面部２と、前面部１及び背面部２の下端に繋がっている下端部３とを備え、前面部１は、肌側層２０と外側層１０を含み、肌側層２０と外側層１０の間には、サポート層３０が設けられ、サポート層３０は、独立して配置されている乳房中央部３１と乳房周縁部３２を含み、乳房中央部３１は、左右対称的にそれぞれ、肩から大胸筋と乳頭を通り上記下端部の前中心部に至る領域を覆うように縦長の短冊状に配置され、乳房周縁部３２は、左右の乳房の外周において、大胸筋上部からアンダーバストまでの一部を覆うように横８字状に配置され、乳房中央部３１のアームホール部における幅は、身幅に対して５％超２１％未満である。【選択図】図３
2014167195.tif 000002
【特許請求の範囲】
【請求項１】
左右の乳房を含む胸部を覆う前面部と、前記前面部と両脇部及び両肩部で繋がっている背面部と、前記前面部及び前記背面部の下端に繋がっている下端部とを備えたスポーツ用衣類であって、
前記前面部は、肌側層と外側層を含み、前記肌側層と前記外側層の間には、サポート層が設けられており、前記サポート層は、独立して配置されている乳房中央部と乳房周縁部を含み、
前記乳房中央部は、左右対称的にそれぞれ、肩から大胸筋と乳頭を通り上記下端部の前中心部に至る領域を覆うように縦長の短冊状に配置され、
前記乳房周縁部は、左右の乳房の外周において、大胸筋上部からアンダーバストまでの一部を覆うように横８字状に配置されており、
前記乳房中央部のアームホール部における幅は、身幅に対して５％超２１％未満であることを特徴とするスポーツ用衣類。
【請求項２】
前記乳房周縁部において、側部幅に対する上部幅の割合が７０〜２５０％である請求項１に記載のスポーツ用衣類。
【請求項３】
前記乳房周縁部の側部幅は、身幅に対して４〜１０％である請求項１又は２に記載のスポーツ用衣類。
【請求項４】
前記乳房中央部と前記乳房周縁部は、ＪＩＳ  Ｌ  １０９６  ８．１４．１  Ａ法に基づいて測定したタテ方向の伸長率が８０〜１５０％であり、ヨコ方向の伸長率が３０〜８０％である生地で構成されている請求項１〜３のいずれか１項に記載のスポーツ用衣類。
【請求項５】
前記肌側層において、左右の乳頭部を覆う部位には略長方形のダブルラッセルが配置されている請求項１〜４のいずれか１項に記載のスポーツ用衣類。
【請求項６】
前記ダブルラッセルは、ＪＩＳ  Ｌ  １０９６  ８．１４．１  Ａ法に基づいて測定したタテ方向の伸長率が１５〜５０％であり、ヨコ方向の伸長率が５〜３５％である請求項５に記載のスポーツ用衣類。
【請求項７】
前記乳房周縁部は、前記乳房中央部と前記肌側層の間に配置されている請求項１〜６のいずれか１項に記載のスポーツ用衣類。
【発明の詳細な説明】
【技術分野】
【０００１】
本発明は、スポーツ用衣類に関し、詳細には、運動時の乳房の揺れを抑制しつつ着用感も良好なスポーツ用衣類に関する。
【背景技術】
【０００２】
従来より、運動時に着用されるスポーツ用ブラジャーなどのスポーツ用衣類が知られていた。例えば、特許文献１には、乳房カップの膨らみの頂点を通る水平な仮想線（Ａ）により乳房カップをカップ上部分とカップ下部分とに分け、カップ上部分を横切る方向に帯状の補強部分（ａ）と、該補強部分（ａ）に連結され上記仮想線（Ａ）を越えてカップ下部分に至る帯状の補強部分（ｂ）とを設けた女性用衣類に用いられる乳房カップが記載されている。
【０００３】
また、特許文献２には、トップ領域から乳腺の方向に沿うように、ストレッチ性のある素材からなる保護テープをフロント布部に縫着した乳房保護機能付き女性用衣類が記載されている。また、特許文献３には、フロント布部の内側に、乳房の外周縁を上部から両横に掛けて囲んだ乳房外周縁布部を備えたスポーツ用ブラジャーが記載されている。
【先行技術文献】
【特許文献】
【０００４】
【特許文献１】特開平８−１００３０８号公報
【特許文献２】特開平１１−２８６８０３号公報
【特許文献３】特開２０１１−１７９１４４号公報
【発明の概要】
【発明が解決しようとする課題】
【０００５】
しかしながら、従来のスポーツ用衣類では、運動時の乳房の揺れの抑制と着用感の両立が十分ではないという問題がある。
【０００６】
本発明は、上記従来の問題を解決するため、運動時の乳房の揺れを抑制しつつ着用感も良好なスポーツ用衣類を提供する。
【課題を解決するための手段】
【０００７】
本発明のスポーツ用衣類は、左右の乳房を含む胸部を覆う前面部と、上記前面部と両脇部及び両肩部で繋がっている背面部と、上記前面部及び上記背面部の下端に繋がっている下端部とを備えたスポーツ用衣類であって、上記前面部は、肌側層と外側層を含み、上記肌側層と上記外側層の間には、サポート層が設けられており、上記サポート層は、独立して配置されている乳房中央部と乳房周縁部を含み、上記乳房中央部は、左右対称的にそれぞれ、肩から大胸筋と乳頭を通り上記下端部の前中心部に至る領域を覆うように縦長の短冊状に配置され、上記乳房周縁部は、左右の乳房の外周において、大胸筋上部からアンダーバストまでの一部を覆うように横８字状に配置されており、上記乳房中央部のアームホール部における幅は、身幅に対して５％超２１％未満であることを特徴とする。
【発明の効果】
【０００８】
本発明は、運動時の乳房の揺れを抑制しつつ着用感も良好なスポーツ用衣類を提供することができる。具体的には、前面部の肌側層と外側層の間に、左右対称的にそれぞれ、肩から大胸筋と乳頭を通り上記下端部の前中心部に至る領域を覆うように縦長の短冊状に配置した乳房中央部と、左右の乳房の外周において大胸筋上部からアンダーバストまでの一部を覆うように横８字状に配置した乳房周縁部とを含むサポート層を設けることにより、運動時の乳房の揺れを抑制しつつ、サポート層において乳房中央部と乳房周縁部を独立させて配置することにより、着脱時の圧迫感も軽減される。また、上記乳房中央部のアームホール部における幅を身幅に対して５％超２１％未満にすることで、運動時の乳房の揺れを抑制しつつ着用時の快適性を保っている。
【図面の簡単な説明】
【０００９】
【図１】図１は本発明の一実施例におけるスポーツ用ブラジャーの正面図である。
【図２】図２は本発明の一実施例におけるスポーツ用ブラジャーの背面図である。
【図３】図３は本発明の一実施例におけるスポーツ用ブラジャーの前面部のサポート層の構造を示す図面である。
【図４】図４は本発明の一実施例におけるスポーツ用ブラジャーの前面部の肌側層の構造を示す図面である。
【図５】図５は本発明のスポーツ用ブラジャーにおける乳房中央部のアームホール部における幅、乳房周縁部における側部幅と上部幅を示す図面である。
【図６】図６は時速８ｋｍで走行時の乳房の動きの軌跡を示すグラフである。
【図７】図７は時速８ｋｍで走行時の１周期分の乳房の上下方向の動きを示すグラフである。
【図８】図８Ａは時速８ｋｍで走行時の１周期分の乳房の上下方向の動きを示すグラフであり、図８Ｂは１周期分の乳房の上下方向の動きの速度を示すグラフであり、図８Ｃは１周期分の乳房の上下方向の動きの加速度を示すグラフである。
【図９】図９は時速８ｋｍで走行時の１周期分の乳房の左右方向の動きの加速度を示すグラフである。
【発明を実施するための形態】
【００１０】
本発明のスポーツ用衣類は、典型的には、スポーツ用ブラジャーであるが、左右の乳房を含む胸部を覆うスポーツ用衣類であればよい。例えば、水着、レオタード、ボディースーツなどのスポーツ用衣類であってもよい。
【００１１】
本発明のスポーツ用衣類は、左右の乳房を含む胸部を覆う前面部と、上記前面部と両脇部及び両肩部で繋がっている背面部と、上記前面部及び上記背面部の下端に繋がっている下端部とを備えている。
【００１２】
上記前面部は、肌に接する肌側層と、肌側層の外側に配置されている外側層を含み、上記肌側層と上記外側層の間には、左乳頭を覆う領域と右乳頭を覆う領域に左右対称的に配置されている縦長の短冊状の乳房中央部と、乳房の外周に配置されている横８字状の乳房周縁部とを含むサポート層が設けられている。このように、乳頭を覆う領域に縦長の短冊状のサポート層及び乳房の外周に横８字状のサポート層を設けることにより、運動時の乳房の揺れを抑制することができる。
【００１３】
上記乳房中央部と上記乳房周縁部は独立して存在している。上記乳房周縁部は、上記乳房中央部と上記肌側層の間に配置されていることが好ましい。上記乳房中央部は、肩及び下端部において、上記前面部に固定されている。上記乳房周縁部は、袖ぐり、脇、胸部上辺及び下端部において、上記前面部に固定されており、左右乳房に対応する部位は略円形にくりぬかれている。これにより、運動時の乳房の揺れを抑制しつつ着脱時の圧迫感が軽減される。
【００１４】
上記乳房中央部は、縦長の短冊状であり、肩から大胸筋と乳頭を通り上記下端部の前中心部に至る領域を覆うように配置されている。上記乳房中央部において、アームホール部における幅は、身幅に対して５％超２１％未満であり、好ましくは７〜２０％であり、より好ましくは１０〜１８％であり、さらに好ましくは１０〜１５％である。これにより、運動時の乳房の揺れを抑制しつつ着用時の快適性を保つことができる。スポーツ用衣類のズレや胸の揺れが少なく、バストの保持性が良好であり、胸部に対する圧迫感が低いことで、快適性が保たれている。上記乳房中央部は、幅が均一であってもよく、幅が不均一でもよい。運動時の乳房の揺れを抑制しつつ着用時の快適性を保つという観点から、上記乳房中央部は、最小幅と最大幅の比が、１：３．８〜１：１であることが好ましく、より好ましくは１：３〜１：１．２であり、さらに好ましくは１：２．７〜１：１．５であることが好ましい。本発明において、乳房中央部のアームホール部における幅は、アームホールの最下部を通る水平方向の直線上における乳房中央部の幅をいう。例えば、図５において、Ｌ１は乳房中央部のアームホール部における幅を示している。
【００１５】
上記乳房周縁部は、横８字状（∞状）であり、左右の乳房の外周において、大胸筋上部からアンダーバストまでの一部を覆うように配置されている。上記∞状の乳房周縁部において、側部幅に対する上部幅の割合が７０〜２５０％であることが好ましく、より好ましくは８０〜２３０％であり、さらに好ましくは１３０〜１９０％である。運動時に乳房の揺れを効果的に抑制し、スポーツ用衣類のズレも低減することができる。本発明において、「乳房周縁部の上部幅」は、乳房周縁部の略円形のくりぬき部の中心を通る水平方向の直線からの反時計方向の角度が７７．５°の直線上における乳房周縁部の幅をいい、「乳房周縁部の側部幅」は、乳房周縁部の略円形のくりぬき部の中心を通る水平方向の直線からの反時計方向の角度が１８°の直線上における乳房周縁部の幅をいう。例えば、図５において、Ｌ２は乳房周縁部の上部幅を示し、Ｌ３は乳房周縁部の側部幅を示している。
【００１６】
上記乳房周縁部において、側部幅は身幅に対して４〜１０％であることが好ましく、より好ましくは５〜９％である。また、上記乳房周縁部において、略円形のくりぬき部は、タテ方向の長さが前中心線の長さの６０〜８０％であることが好ましく、より好ましくは６５〜７５％である。また、上記乳房周縁部において、略円形のくりぬき部は、ヨコ方向の長さが身幅の５０〜７０％であることが好ましく、より好ましくは５５〜６５％である。運動時に効果的に乳房の揺れを抑制し、スポーツ用衣類のズレも低減することができる。本発明において、前中心線とは、胸部上辺から下端部を結ぶ中心線をいう。例えば、図５において、５１で示す線が前中心線である。
【００１７】
図６は、時速８ｋｍで走行時の乳房の動き（揺れ）の軌跡を示すグラフである。具体的には、乳房の動きの軌跡は、乳頭に反射マーカーを付着し、走行中の反射マーカーをビデオカメラで撮影、画像解析を行うことで測定する。
【００１８】
図６から、走行中、乳房は横８字状（∞状）に揺れることが分かる。また、走行中、○で囲んだ部分における乳房の滞留時間が長いことが分かる。
【００１９】
図７は、図６の乳房の動きの軌跡から抽出した１周期分の乳房の上下方向の動きを示すグラフである。図７から、乳房の上下方向の１周期の動きにおいて、下から上に向かって最少振幅から最大振幅に達する時間は、０．２０８秒（ｓ）であり、上から下に向かって最大振幅から最少振幅に達する時間は、０．１５８ｓであることが分かる。すなわち、走る際、乳房は、上向きに動く時間が長く、下向きに動く時間は短い。図７に示す乳房の上下方向の１周期の動きにおいて、最大振幅を１００％として、２０％ずつに１〜５区分に分割して、各区分における時間を加算して、各区分の加算時間の占有比率を算出して下記表１に示している。下記表１から、区分４及び区分５で１周期の約７０％の時間滞留していることが分かる。
【００２０】
【表１】
2014167195.tif 000003
【００２１】
図６及び図７から、運動時の乳房の揺れを抑制するには、乳房の下部のみではなく、乳房の上部もサポートする必要があることが分かる。
【００２２】
図８Ａは、図６の乳房の動きの軌跡から抽出した１周期分の乳房の上下方向の動きを示すグラフであり、図８Ｂは１周期分の乳房の上下方向の動きの速度を示すグラフであり、図８Ｃは１周期分の乳房の上下方向の動きの加速度を示すグラフである。
【００２３】
図８Ａと図８Ｂから分かるように、０〜０．１５秒間において、乳房は鉛直下方向に動き、それに伴い速度はマイナスに増加する。０．１５秒付近では、乳房の動きが鉛直下方向から上方向に切り替わり、速度がマイナスの最大値からプラスの最大値へ急激に変化する。図８Ｃから分かるように、この時、加速度は最大値を示している。また、０．２０〜０．４０秒間において、減速はしているが速度はゼロではなく、図８Ａから分かるようにゆっくり上向きに力が掛かっている状態であると推測される。０．４秒付近からは、再び乳房は鉛直下方向に動き、速度はマイナス方向に増加する。
【００２４】
図９は、図６の乳房の動きの軌跡から抽出した１周期分の乳房の左右方向の動きの加速度を示すグラフである。
【００２５】
図８Ｃ及び図９から、乳房の上下方向の動きの加速度に比べると、乳房の左右方向の動きの加速度は大きさも変化量も小さいことが分かる。運動時の乳房の揺れを抑制するには、左右方向以上に、上下方向の揺れを抑制することが求められる。
【００２６】
本発明のスポーツ用衣類は、前面部の肌側層と外側層の間に、サポート層として、左右対称的にそれぞれ、肩から大胸筋と乳頭を通り上記下端部の前中心部に至る領域を覆うように縦長の短冊状に配置した乳房中央部と、左右の乳房の外周において大胸筋上部からアンダーバストまでの一部を覆うように横８字状に配置した乳房周縁部を設けることにより、運動時の乳房の揺れを効果的に抑制することができる。
【００２７】
上記スポーツ用衣類に用いる生地は、特に限定されず、通常のスポーツ衣類用生地を用いることができる。例えば織物、編物などの生地を使用できる。具体的には、身体に適度にフィットする編地を用いることができ、例えば、トリコット、メッシュ、ラッセル、ダブルラッセルなどを用いることができる。上記生地は、目付けが１２０〜２８０ｇ／ｍ2の範囲が好ましく、より好ましくは１４０〜２５０ｇ／ｍ2の範囲、特に好ましくは１６０〜２３０ｇ／ｍ2の範囲である。目付が上記の範囲であれば、耐久性も良く、軽くて動きやすい利点がある。
【００２８】
上記生地を構成する繊維としては、特に限定されず、例えば、ポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。
【００２９】
上記乳房中央部と上記乳房周縁部は、ＪＩＳ  Ｌ  １０９６  ８．１４．１  Ａ法（定速伸長法）に基づいて測定したタテ方向の伸長率が８０〜１５０％の生地で構成されることが好ましく、より好ましくはタテ方向の伸長率が９０〜１３０％の生地で構成される。また、上記乳房中央部と上記乳房周縁部は、ＪＩＳ  Ｌ  １０９６  ８．１４．１  Ａ法（定速伸長法）に基づいて測定したヨコ方向の伸長率が３０〜８０％の生地で構成されることが好ましく、より好ましくはヨコ方向の伸長率が４０〜７０％である生地で構成される。これにより、より効果的に運動時の乳房の揺れを抑制し、着用感も良好になる。タテ方向の伸長率が１５０％以下であると、運動時の乳房の上下方向の揺れを抑制するサポート効果が達成しやすい。また、タテ方向の伸長率が８０％以上であると、胸部に対する圧迫感が大きくならず、着用感を損ねることがない。ヨコ方向の伸長率が８０％以下であると、運動時の乳房の左右方向の揺れを抑制するサポート効果が達成しやすい。また、ヨコ方向の伸長率が３０％以上であると、胸部に対する圧迫感が大きくならず、着脱しやすい。本発明において、ＪＩＳ  Ｌ  １０９６  ８．１４．１  Ａ法（定速伸長法）に基づく伸長率の測定時に、荷重は１７．６Ｎ、引張速度は２００ｍｍ／ｍｉｎである。
【００３０】
上記前面部において、肌側層の左右の乳頭部を覆う部位は略長方形のダブルラッセルで構成されていることが好ましい。運動時の乳房の一体感と通気性を確保することができる。上記ダブルラッセルは、左右の乳頭部を含む領域を覆い、胸部上辺、脇、下端部には接しないように配置されている。上記略長方形は、下底が上底よりも短い等脚台形において、各辺を緩やかな曲線に変形した形状であることが好ましい。
【００３１】
上記肌側層におけるダブルラッセルは、ＪＩＳ  Ｌ  １０９６  ８．１４．１  Ａ法に基づいて測定したタテ方向の伸長率が１５〜５０％であることが好ましく、より好ましくは２０〜４０％である。また、上記肌側層におけるダブルラッセルは、ＪＩＳ  Ｌ  １０９６  ８．１４．１  Ａ法に基づいて測定したヨコ方向の伸長率が５〜３５％であることが好ましく、より好ましくは１０〜３０％である。これにより、乳房全体を包み込むような一体感と着用感が良好になる。タテ方向の伸長率が５０％以下であると、乳房全体を包み込むような一体感が得られるやすい。また、タテ方向の伸長率が１５％以上であると、胸部に対する圧迫感が大きくならず、バストシルエットが保たれ、着用感が損なわれることがない。ヨコ方向の伸長率が３５％以下であると、乳房全体を包み込むような一体感が得られやすい。また、ヨコ方向の伸長率が５％以上であると、胸部に対する圧迫感が大きくならず、バストの形状に追従しやすい。
【００３２】
上記乳房中央部と乳房周縁部、及び上記肌側層におけるダブルラッセル以外の部位は、着用感の観点から、上記乳房中央部と乳房周縁部を構成する生地よりＪＩＳ  Ｌ  １０９６  ８．１４．１  Ａ法に基づいて測定する伸長率（荷重１７．６Ｎ、引張速度２００ｍｍ／ｍｉｎ）が大きいことが好ましい。例えば、タテ方向の伸長率は１４０〜１８０％であることが好ましく、より好ましくは１５０〜１７０％である。また、ヨコ方向の伸長率は６０〜１１０％であることが好ましく、より好ましくは７０〜１００％である。
【００３３】
以下図面を用いて説明する。但し、本発明は、下記図面に示した実施形態に限定されない。図１は本発明の一実施例におけるスポーツ用ブラジャーの正面図であり、図２は同実施例におけるスポーツ用ブラジャーの背面図である。図３は、同実施例におけるスポーツ用ブラジャーの前面部のサポート層の構造を示す図面である。図４は、同実施例におけるスポーツ用ブラジャーの前面部の肌側層の構造を示す図面である。スポーツ用ブラジャー１００は、左右の乳房を含む胸部を覆う前面部１と、前面部１と両脇部及び両肩部で繋がっている背面部２と、前面部１及び背面部２の下端に繋がっている下端部３とを備えている。
【００３４】
前面部１は外側層１０と肌側層２０を備えている。図４に示しているように、肌側層２０において、肌側層の左右の乳頭部を覆う部位は略長方形のダブルラッセル４０で構成されていることが好ましい。具体的には、上記ダブルラッセルは、左右の乳頭部を含む領域を覆い、胸部上辺、脇、下端部には接しないように配置されており、下底が上底よりも短い等脚台形の各辺を緩やかな曲線に変形した形状である。図４に示しているように、等脚台形の対称軸は前中心線であり、台形の左右の脚（平行でない辺）は、それぞれ、前中心線を左右に１６．７°回転させた直線にほぼ平行であり、下底は前中心線の交点付近においてわずかに上に凸の緩やかな曲線であり、上底は左右の脚の約２分の１付近から前中心線との交点に向けて上に凸の緩やかな曲線である。
【００３５】
外側層１０と肌側層２０の間にはサポート層３０が設けられている。サポート層３０は、独立して配置されている乳房中央部３１と乳房周縁部３２を含む。
【００３６】
乳房中央部３１は、縦長の短冊状であり、左右対称的にそれぞれ肩から大胸筋と乳頭を通り下端部の前中心部に至る領域を覆うように配置されている。具体的には、図３に示しているように、乳房中央部３１は、肩及び下端部３において、前面部１に固定されている。本実施形態において、乳房中央部３１は、幅が不均一な縦長の短冊状であり、肩部において、前面部１に固定されていない部分の幅が最も大きく、下端部３に向かって徐々に細くなっている。
【００３７】
乳房周縁部３２は、左右の乳房の外周において、大胸筋上部からアンダーバストまでの一部を覆うように横８字状（∞状）に配置されている。図３に示しているように、乳房周縁部３２は、袖ぐり、脇、胸部上辺、下端部３において、前面部１に固定されており、左右乳房の隆起部に対応する部位は略円形にくりぬいている。乳房周縁部３２の略円形のくりぬき部の中心は、それぞれ、左右乳頭付近に対応する部位に配置されている。本実施形態において、上記乳房周縁部３２は、肌側層２０と乳房中央部３１の間に配置されている。
【実施例】
【００３８】
以下実施例を用いてさらに具体的に説明する。なお、本発明は下記の実施例に限定されるものではない。
【００３９】
実施例及び比較例において、下記表２に示す生地を用いた。なお、下記において、伸長率は、ＪＩＳ  Ｌ  １０９６  ８．１４．１  Ａ法（定速伸長法）に基づき、荷重１７．６Ｎ、引張速度２００ｍｍ／ｍｉｎの条件下で測定したものである。
【００４０】
【表２】
2014167195.tif 000004
【００４１】
（実施例１）
本体生地には生地１を用い、切替生地として生地２を用い、乳房中央部及び乳房周縁部には生地３を用い、肌側層のダブルラッセルには生地４を用い、図１〜４に示しているスポーツ用ブラジャーを作製した。本体生地は、図１及び図２において、斜線で示している部位に用い、前面部及び背面部のその他の部位には、切替生地を用いた。実施例１において、乳房中央部３１のアームホール部における幅は、身幅に対して１０％であった。また、乳房中央部３１の最大幅は身幅に対して１８％であり、乳房中央部の最小幅は身幅に対して７％であった。また、乳房周縁部３２の側部幅に対する上部幅の割合は１６２％であり、身幅に対する側部幅の割合は６％であった。
【００４２】
（実施例２）
乳房中央部３１のアームホール部における幅を身幅に対して１５％になるようにし、乳房中央部３１の最大幅を身幅に対して２２％になるようにし、乳房中央部の最小幅を身幅に対して１５％になるようにした以外は実施例１と同様にして、実施例２のスポーツ用ブラジャーを作製した。
【００４３】
（実施例３）
乳房中央部３１のアームホール部における幅を身幅に対して７％になるようにし、乳房中央部３１の最大幅を身幅に対して１６％になるようにし、乳房中央部の最小幅を身幅に対して５％になるようにした以外は実施例１と同様にして、実施例３のスポーツ用ブラジャーを作製した。
【００４４】
（実施例４）
乳房中央部３１のアームホール部における幅を身幅に対して１８％になるようにし、乳房中央部３１の最大幅を身幅に対して２４％になるようにし、乳房中央部の最小幅を身幅に対して１７％になるようにした以外は実施例１と同様にして、実施例４のスポーツ用ブラジャーを作製した。
【００４５】
（比較例１）
乳房中央部及び乳房周縁部を設けていない以外は、実施例１と同様にして比較例１のスポーツ用ブラジャーを作製した。
【００４６】
（比較例２）
乳房中央部３１のアームホール部における幅を身幅に対して５％になるようにし、乳房中央部３１の最大幅を身幅に対して１５％になるようにし、乳房中央部の最小幅を身幅に対して４％になるようにした以外は実施例１と同様にして、比較例２のスポーツ用ブラジャーを作製した。
【００４７】
（比較例３）
乳房中央部３１のアームホール部における幅を身幅に対して２１％になるようにし、乳房中央部３１の最大幅を身幅に対して２５％になるようにし、乳房中央部の最小幅を身幅に対して２０％になるようにした以外は実施例１と同様にして、比較例３のスポーツ用ブラジャーを作製した。
【００４８】
（比較例４）
乳房中央部３１のアームホール部における幅を身幅に対して３％になるようにし、乳房中央部３１の最大幅を身幅に対して１４％になるようにし、乳房中央部の最小幅を身幅に対して１％になるようにした以外は実施例１と同様にして、比較例４のスポーツ用ブラジャーを作製した。
【００４９】
（比較例５）
乳房中央部３１のアームホール部における幅を身幅に対して２５％になるようにし、乳房中央部３１の最大幅を身幅に対して２８％になるようにし、乳房中央部の最小幅を身幅に対して２５％になるようにした以外は実施例１と同様にして、比較例５のスポーツ用ブラジャーを作製した。
【００５０】
実施例１〜４、比較例１〜５のスポーツ用ブラジャーを着用し、運動時の乳房の揺れ及び着用感を下記のように評価した。結果を表４に示した。下記表４には、身幅に対する乳房中央部のアームホール部における幅の割合（以下において、単に、「乳房中央部幅/身幅」とも記す。）も示した。比較例１のスポーツ用ブラジャーを着用した際の乳房の揺れを１００％とし、比較例１の揺れに対する相対的値を乳房の揺れに対する抑制度とした。抑制度の値が低いほど、乳房の揺れに対する抑制効果が高いことを意味する。
【００５１】
（乳房の揺れ）
被験者がスポーツ用ブラジャーを着用した状態で、スポーツ用ブラジャーの上から、左胸乳頭（Ｎｏ．１）、右胸乳頭（Ｎｏ．２）、及び胸鎖関節中心（Ｎｏ．３）の３箇所に反射マーカーを付着し、トレッドミルで時速８ｋｍで走行中の反射光を測定することにより、左右の乳房における上下方向、左右方向への揺れを計測した。具体的には、Ｎｏ．３を基準点とし、走行時のＮｏ．３と左右乳頭Ｎｏ．１、Ｎｏ．２との距離に基づいて、揺れにおける各周期の振幅を乳房の移動距離とし、走行中の振幅の平均を算出する。被験者は、成人女性１０名とした。
【００５２】
（着用感）
着用感については、下記表３に示す５項目を７段階で官能評価した。官能評価の値が低いほど、着用感に優れていることを意味する。
【００５３】
【表３】
2014167195.tif 000005
【００５４】
【表４】
2014167195.tif 000006
【００５５】
上記表４の結果から分かるように、実施例１〜４のスポーツ用ブラジャーは、運動時の乳房の揺れを抑制しつつ着用感も良好であった。一方、乳房中央部幅/身幅が５％以下である比較例２及び４は、抑制度が８０％以上であり、運動時の乳房の揺れを抑制する効果がほとんどなく、また、着用感（総合着用感）も、乳房中央部を設けていない比較例１と同程度であった。乳房中央部幅/身幅が２１％以上である比較例３及び５は、運動時の乳房の揺れを抑制する効果は高いものの、着用感（総合着用感）の評価が４．５以上であり、乳房中央部を設けていない比較例１と同程度であった。
【００５６】
（実施例５）
乳房周縁部３２の側部幅に対する上部幅の割合を８２％にし、身幅に対する側部幅の割合を６％にした以外は、実施例１と同様にして、実施例５のスポーツ用ブラジャーを作製した。
【００５７】
（実施例６）
乳房周縁部３２の側部幅に対する上部幅の割合を２４４％にした以外は、実施例５と同様にして、実施例６のスポーツ用ブラジャーを作製した。
【００５８】
（実施例７）
乳房周縁部３２の側部幅に対する上部幅の割合を６５％にした以外は、実施例５と同様にして、実施例７のスポーツ用ブラジャーを作製した。
【００５９】
（実施例８）
乳房周縁部３２の側部幅に対する上部幅の割合を７０％にした以外は、実施例５と同様にして、実施例８のスポーツ用ブラジャーを作製した。
【００６０】
（実施例９）
乳房周縁部３２の側部幅に対する上部幅の割合を１３０％にした以外は、実施例５と同様にして、実施例９のスポーツ用ブラジャーを作製した。
【００６１】
（実施例１０）
乳房周縁部３２の側部幅に対する上部幅の割合を１９０％にした以外は、実施例５と同様にして、実施例１０のスポーツ用ブラジャーを作製した。
【００６２】
（実施例１１）
乳房周縁部３２の側部幅に対する上部幅の割合を２５０％にした以外は、実施例５と同様にして、実施例１１のスポーツ用ブラジャーを作製した。
【００６３】
実施例１、５〜１１、比較例１のスポーツ用ブラジャーを着用させ、運動時の乳房の揺れ及び着用感を上述したとおりに評価した。結果を下記表５に示した。下記表５には、乳房周縁部の側部幅に対する上部幅の割合（以下において、単に、「上部幅/側部幅」とも記す。）も示した。比較例１のスポーツ用ブラジャーを着用した際の、乳房の揺れを１００％とし、比較例１の揺れに対する相対的値を乳房の揺れに対する抑制度とした。抑制度の値が低いほど、乳房の揺れに対する抑制効果が高いことを意味する。
【００６４】
【表５】
2014167195.tif 000007
【００６５】
上記表５から分かるように、乳房周縁部において、上部幅/側部幅が７０〜２５０％であると、運動時に乳房の揺れを効果的に抑制し、スポーツ用ブラジャーのズレを低減でき好ましい。
【００６６】
（実施例１２）
身幅に対する乳房周縁部３２の側部幅の割合を３％にし、乳房周縁部３２の側部幅に対する上部幅の割合を１６２％にした以外は、実施例１と同様にして、実施例１２のスポーツ用ブラジャーを作製した。
【００６７】
（実施例１３）
身幅に対する乳房周縁部３２の側部幅の割合を１０％にした以外は、実施例１２と同様にして、実施例１３のスポーツ用ブラジャーを作製した。
【００６８】
（実施例１４）
身幅に対する乳房周縁部３２の側部幅の割合を４％にした以外は、実施例１２と同様にして、実施例１４のスポーツ用ブラジャーを作製した。
【００６９】
（実施例１５）
身幅に対する乳房周縁部３２の側部幅の割合を５％にした以外は、実施例１２と同様にして、実施例１５のスポーツ用ブラジャーを作製した。
【００７０】
（実施例１６）
身幅に対する乳房周縁部３２の側部幅の割合を８％にした以外は、実施例１２と同様にして、実施例１６のスポーツ用ブラジャーを作製した。
【００７１】
（実施例１７）
身幅に対する乳房周縁部３２の側部幅の割合を９％にした以外は、実施例１２と同様にして、実施例１７のスポーツ用ブラジャーを作製した。
【００７２】
実施例１、１２〜１７、比較例１のスポーツ用ブラジャーを着用させ、運動時の乳房の揺れ及び着用感を上述したとおりに評価した。結果を下記表６に示した。下記表６には、身幅に対する乳房周縁部３２の側部幅の割合（以下において、単に、「側部幅/身幅」とも記す。）も示した。比較例１のスポーツ用ブラジャーを着用した際の、乳房の揺れを１００％とし、比較例１の揺れに対する相対的値を乳房の揺れに対する抑制度とした。抑制度の値が低いほど、乳房の揺れに対する抑制効果が高いことを意味する。
【００７３】
【表６】
2014167195.tif 000008
【００７４】
上記表６から分かるように、乳房周縁部３２の側部幅は身幅に対して４〜１０％であると、運動時に乳房の揺れを効果的に抑制し、スポーツ用ブラジャーのズレを低減でき好ましい。
【００７５】
（実施例１８〜２４）
下記表７に示すタテ方向伸長率を有し、ヨコ方向伸長率が６０％の生地を乳房中央部と乳房周縁部に用いた以外は、実施例１と同様にしてスポーツ用ブラジャーを作製した。
【００７６】
（実施例２５〜３２）
下記表８に示すヨコ方向伸長率を有し、タテ方向伸長率が１１０％の生地を乳房中央部と乳房周縁部に用いた以外は、実施例１と同様にしてスポーツ用ブラジャーを作製した。
【００７７】
実施例１及び実施例１８〜３２のスポーツ用ブラジャーを成人女性被験者に着用させ、トレッドミルで時速８ｋｍで走行中の乳房の揺れ抑制感と、着脱、ズレ、動きやすさなどの着用感を下記の基準で官能評価した。下記表７及び表８には、被験者１０名の平均結果を示した。
【００７８】
＜乳房の揺れ抑制感＞
１  揺れる
２  少し揺れる
３  揺れない
【００７９】
＜着用感＞
１  悪い
２  やや悪い
３  普通
４  良い
５  非常に良い
【００８０】
【表７】
2014167195.tif 000009
【００８１】
上記表７から分かるように、乳房中央部及び乳房周縁部に用いる生地のタテ方向の伸長率が８０〜１５０％であると乳房の揺れ抑制感と着用感のいずれも良好であり、９０〜１３０％であると揺れ抑制感と着用感のいずれも非常に良好になる。
【００８２】
【表８】
2014167195.tif 000010
【００８３】
上記表８から分かるように、乳房中央部及び乳房周縁部に用いる生地のヨコ方向の伸長率が３０〜８０％であると揺れ抑制感と着用感のいずれも良好であり、４０〜７０％であると揺れ抑制感と着用感のいずれも非常に良好になる。
【００８４】
（実施例３３〜３７）
肌側層のダブルラッセルに、下記表９に示すタテ方向伸長率有し、ヨコ方向伸長率が２０％のダブルラッセルを用いた以外は、実施例１と同様にしてスポーツ用ブラジャーを作製した。
【００８５】
（実施例３８〜４２）
肌側層のダブルラッセルに、下記表１０に示すヨコ方向伸長率有し、タテ方向伸長率が３０％のダブルラッセルを用いた以外は、実施例１と同様にしてスポーツ用ブラジャーを作製した。
【００８６】
実施例３３〜４２のスポーツ用ブラジャーを成人女性被験者に着用させ、ダブルラッセルによる乳房全体を包み込むような一体感及び着脱、ズレ、及び動きやすさなどの着用感を下記の基準で官能評価した。下記表９及び表１０には、被験者１０名の平均結果を示した。
【００８７】
＜乳房全体の一体感＞
１  悪い
２  やや悪い
３  普通
４  良い
５  非常に良い
【００８８】
＜着用感＞
１  悪い
２  やや悪い
３  普通
４  良い
５  非常に良い
【００８９】
【表９】
2014167195.tif 000011
【００９０】
上記表９から分かるように、肌側層におけるダブルラッセルのタテ方向の伸長率が１５〜５０％であると乳房全体を包み込むような一体感と着用感のいずれも良好であり、２０〜４０％であると乳房全体を包み込むような一体感と着用感のいずれも非常に良好になる。
【００９１】
【表１０】
2014167195.tif 000012
【００９２】
上記表１０から分かるように、ダブルラッセル生地部に用いる生地のヨコ方向の伸長率が５〜３５％であると乳房全体を包み込むような一体感と着用感のいずれも良好であり、１０〜３０％であると乳房全体を包み込むような一体感と着用感のいずれも非常に良好になる。
【符号の説明】
【００９３】
１  前面部
２  背面部
３  下端部
１０  外側層
２０  肌側層
３０  サポート層
３１  乳房中央部
３２  乳房周縁部
４０  ダブルラッセル
１００  スポーツ用衣類（スポーツ用ブラジャー）
【図１】
2014167195.tif 000013
【図２】
2014167195.tif 000014
【図３】
2014167195.tif 000015
【図４】
2014167195.tif 000016
【図５】
2014167195.tif 000017
【図６】
2014167195.tif 000018
【図７】
2014167195.tif 000019
【図８】
2014167195.tif 000020
【図９】
2014167195.tif 000021